(57)【要約】【課題】カバーキャップの前開口部に配設された操作部材の下方向への移動操作で放出口のシャットオフ状態と内容物放出操作の阻止状態とを解除し、その後の後方向への移動操作で内容物噴射するシャットオフ式の内容物放出操作ロック機構について、各動作の安定化，十全化やデザイン性向上化を図る。【解決手段】操作部材５の下方向への移動を許容してかつ後方向への移動を阻止する縦溝状部７ｊと、操作部材５の後方向への移動を許容する前後方向天井面７ｆとをカバーキャップ７の内部の平行平板面７ｃに設けた。また、操作部材５の後方向への移動にともない、ステム３を内容物放出状態に設定する後向き・下向きテーパ面５ｒ（操作部材５の一部）と、このテーパ面５ｒと協働してステム３を内容物放出状態に設定する前向き・上向きテーパ面６ｅ（ステムジョイント６の一部）を備えた。【選択図】図１
2015212170.tif 000002
【特許請求の範囲】
【請求項１】
内容物放出用の操作部材の下方向への移動操作によりそれまでの放出口のシャットオフ状態と内容物放出操作の阻止状態とが解除され、続く当該操作部材の後方向への移動操作により容器本体からの内容物放出状態が設定されるシャットオフ式の内容物放出操作ロック機構において、
前記操作部材の前記下方向への移動を許容してかつ前記後方向への移動を阻止する第一のガイド部と、
前記操作部材の前記後方向への移動を許容する第二のガイド部と、
前記操作部材の前記後方向への移動にともない、弁作用部としてのステムを内容物放出状態に設定するステム駆動部と、
前記ステム駆動部と協働して前記ステムを前記内容物放出状態に設定するステム被駆動部と、を備えた、
ことを特徴とするシャットオフ式の内容物噴射操作ロック機構。
【請求項２】
前記操作部材の下方向への移動操作および後方向への移動操作は、
それぞれスライド操作である、
ことを特徴とする請求項１記載のシャットオフ式の内容物噴射操作ロック機構。
【請求項３】
前記内容物の容器本体に取り付けられて前記操作部材が配設されるカバー体を備え、
前記カバー体は、
前記第一のガイド部および前記第二のガイド部を有している、
ことを特徴とする請求項１または２に記載のシャットオフ式の内容物噴射操作ロック機構。
【請求項４】
前記ステムの流出側に取り付けられて、前記放出口との連通部として作用するステムジョイントを備え、
前記ステムジョイントは、
前記ステムを前記内容物放出状態に設定するステム被駆動部を有している、
ことを特徴とする請求項１乃至３のいずれかに記載のシャットオフ式の内容物放出操作ロック機構。
【請求項５】
請求項１乃至４のいずれかに記載の内容物放出操作ロック機構を備え、かつ、容器本体に噴射用ガスおよび内容物を収容した、
ことを特徴とするエアゾール式製品。
【請求項６】
請求項１乃至６のいずれかに記載の内容物放出操作ロック機構を備え、かつ、容器本体に内容物を収容した、
ことを特徴とするポンプ式製品
【発明の詳細な説明】
【技術分野】
【０００１】
本発明は、内容物放出用の操作部材の下方向への移動操作によりそれまでの放出口のシャットオフ状態と内容物放出操作の阻止状態とが解除され、続く当該操作部材の後方向への移動操作により容器本体からの内容物放出状態が設定されるシャットオフ式の内容物放出操作ロック機構に関する。
【０００２】
特に、
前記操作部材の前記下方向への移動を許容してかつ前記後方向への移動を阻止する第一のガイド部と、
前記操作部材の前記後方向への移動を許容する第二のガイド部と、
前記操作部材の前記後方向への移動にともない、弁作用部としてのステムを内容物放出状態に設定するステム駆動部と、
前記ステム駆動部と協働して前記ステムを前記内容物放出状態に設定するステム被駆動部と、を備えたものに関する。
【０００３】
ここで、内容物放出用の操作部材の下方向および後方向への移動操作はそれぞれ例えばスライド操作である。
【０００４】
本明細書では、必要に応じて、ステムなどの弁作用部が閉じて内容物が外部空間域に放出されない状態を静止モードといい、操作部のスライド操作により弁作用部が開いて、内容物が外部空間域に放出される内容物放出状態を作動モードという。
【０００５】
利用者がこの静止モードおよび作動モードを選択的に設定できるのは、勿論ロック解除モードのときである。内容物放出操作が阻止されるロックモードは必然的な静止モードともいえる。
【０００６】
作動モードにおいて容器本体の内容物が外部空間域に出力されることを「放出」または「噴射」という。
【０００７】
外部空間域への内容物の放出口側を「前」、それとは反対の側を「後」とそれぞれ記し、略水平面内における前後方向と略直交する方向を「横」，「左右」と記す。例えば、図１〜図３の左側が「前」で右側が「後」となり、同図の紙面に垂直な方向が「横方向」，「左右方向」となる。
【背景技術】
【０００８】
本件出願人は、エアゾール式製品やポンプ式製品などの容器本体に取り付けられて内容物放出用の押下げ操作機能を備えたカバーキャップを、その周方向回動操作に基づくロックモード（放出口のシャットオフ状態）とロック解除・静止モード（放出口の露出状態）とに設定可能な内容物放出操作ロック機構を提案ずみである（特許文献１参照）。
【０００９】
このシャットオフ式の内容物放出操作ロック機構の場合、概略、
(11)横断面がそれぞれ略楕円形状の容器本体およびそのカバーキャップからなり、
(12)カバーキャップが容器本体といわゆる面一状態のとき、放出口が当該カバーキャップでシャットオフされ、また当該カバーキャップの押下げ操作が阻止され、
(13)上記(12)の位置のカバーキャップを容器本体から回動させて上記面一状態から例えば９０度ほどずらしたとき、上述のシャットオフ状態および押下げ操作阻止状態がともに解除される。
【００１０】
ここで、カバーキャップを押し上げると、その内部に配設されたいわゆる操作ボタンおよびこれと一体のステムが下動して、ステム作用部がそれまでの閉状態から開状態にシフトする。すなわちエアゾール式製品およびポンプ式製品は内容物放出状態に移行する。
【先行技術文献】
【特許文献】
【００１１】
【特許文献１】特開２０１２−２２４３４７号公報
【発明の概要】
【発明が解決しようとする課題】
【００１２】
記提案済みの内容物放出操作ロック機構は、カバーキャップに対する回動操作およびその後の押下げ操作といった一連の簡単な操作によりシャットオフ・ロックモードからそれぞれの解除モードに移行するといった利便性の高いものである。
【００１３】
本発明は、このようなシャットオフ式の内容物放出操作ロック機構の利便性を、容器本体に固定状態で取り付けられたカバーキャップの前開口部に配設される操作部材の場合にも確実に担保しよう、としたものである。
【００１４】
すなわち、カバーキャップの前開口部に配設されて内容物放出口をシャットオフする操作部材の下方向への移動操作によりこのシャットオフ状態が解除され、続く後方向への移動操作により内容物放出状態が設定される構成としている。
【００１５】
本発明は、これによりシャットオフ式の内容物放出操作ロック機構に関する技術の豊富化を図るとともに、内容物放出口のシャットオフならびにその解除および内容物放出の各動作の安定化，十全化を図ることを目的とする。
【００１６】
さらには、シャットオフ式の内容物放出操作ロック機構の、ロックモードおよびロック解除・静止モードそれぞれの位置における機構全体のデザイン性向上化（シンプル化，斬新化）を図ることを目的とする。
【課題を解決するための手段】
【００１７】
本発明は、以上の課題を次のようにして解決する。
（１）内容物放出用の操作部材（例えば後述の操作部材５）の下方向への移動操作によりそれまでの放出口（例えば後述の放出口８ｂ）のシャットオフ状態と内容物放出操作の阻止状態とが解除され、続く当該操作部材の後方向への移動操作により容器本体からの内容物放出状態が設定されるシャットオフ式の内容物放出操作ロック機構において、
前記操作部材の前記下方向への移動を許容してかつ前記後方向への移動を阻止する第一のガイド部（例えば後述の縦溝状部７ｊ）と、
前記操作部材の前記後方向への移動を許容する第二のガイド部（例えば後述の前後方向天井面７ｆ）と、
前記操作部材の前記後方向への移動にともない、弁作用部としてのステム（例えば後述のステム３）を内容物放出状態に設定するステム駆動部（例えば後述の後向き・下向きテーパ面５ｒ）と、
前記ステム駆動部と協働して前記ステムを前記内容物放出状態に設定するステム被駆動部（例えば後述の前向き・上向きテーパ面６ｅ）と、を備えた、
構成態様のものを用いる。
（２）上記（１）において、
前記操作部材の下方向への移動操作および後方向への移動操作は、
それぞれスライド操作である、
構成態様のものを用いる。
（３）上記（１），（２）において、
前記内容物の容器本体（例えば後述の容器本体１）に取り付けられて前記操作部材（例えば後述の操作部材５）が配設されるカバー体（例えば後述のカバーキャップ７）を備え、
前記カバー体は、
前記第一のガイド部（例えば後述の縦溝状部７ｊ）および前記第二のガイド部（例えば後述の前後方向天井面７ｆ）を有している、
構成態様のものを用いる。
（４）上記（１），（２），（３）において、
前記ステム（例えば後述のステム３）の流出側に取り付けられて、前記放出口（例えば後述の放出口８ｂ）との連通部として作用するステムジョイント（例えば後述のステムジョイント６）を備え、
前記ステムジョイントは、
前記ステムを前記内容物放出状態に設定するステム被駆動部（例えば後述の前向き・上向きテーパ面６ｅ）を有している、
構成態様のものを用いる。
【００１８】
このような構成からなるシャットオフ式の内容物放出操作ロック機構、ならびにこの内容物放出操作ロック機構を備えたエアゾール式製品およびポンプ式製品を本発明の対象としている。
【発明の効果】
【００１９】
本発明は、以上の構成をとることにより、
(21)シャットオフ式の内容物放出操作ロック機構に関する技術の豊富化を図り、
(22)内容物放出口のシャットオフならびにその解除および内容物放出の各動作の安定化，十全化を図り、
(23)シャットオフ式の内容物放出操作ロック機構の、ロックモードおよびロック解除・静止モードそれぞれの位置における機構全体のデザイン性向上化（シンプル化，斬新化）を図る、
ことができる。
【図面の簡単な説明】
【００２０】
【図１】操作部材が前上方位置に保持されたロックモード（内容物噴射操作阻止）を示す説明図である。
【図２】図１の操作部材に対する下方へのスライド操作後のロック解除・静止モード（内容物噴射操作可）を示す説明図である。
【図３】図２の操作部材に対する後方へのスライド操作後の内容物放出状態の作動モードを示す説明図である。
【図４】操作部材とカバーキャップとの間のガイド関連構成を示す斜視説明図である。
【発明を実施するための形態】
【００２１】
図１乃至図４を用いて本発明を実施するための形態を説明する。
【００２２】
上述したように、本発明にかかるシャットオフ式の内容物放出操作ロック機構はエアゾール式製品およびポンプ式製品の双方に適用できる。ただ以下の実施形態では、単なる説明の便宜上、エアゾール式製品の場合を前提とする。
【００２３】
なお、以下のアルファベット付き参照番号の構成要素（例えば上流通路域３ａ）は原則として、当該参照番号の数字部分の構成要素（例えばステム３）の一部であることを示している。
【００２４】
図１〜図４シャットオフ式の内容物噴射操作ロック機構において、
Ａは図１のロックモードから図２のロック解除・静止モードに変更するときの操作部材の下スライド方向（図２参照），
Ｂは図２のロック解除・静止モードから図３の作動モードに変更するときの操作部材の後スライド方向（図３参照），
をそれぞれ示している。
【００２５】
また、
１は各種の噴射対象内容物および噴射用ガスを収容したエアゾール式製品における周知の容器本体，
１ａは当該容器本体の上端外側環状部分に生成される周知のアンダーカット，
２は容器本体１の上端開口部に固定された周知のマウンティングカップ，
３は利用者の内容物噴射操作と連動して、容器本体１に収容済みの内容物を外部空間域に噴射するためのバルブ作用を呈する周知のステム，
３ａは噴射対象内容物が通過するステム内部の上流通路域，
４はマウンティングカップ２に保持されてステム３の下側部分を収容し、かつ、噴射対象内容物が内部空間を通過する周知のハウジング，
をそれぞれ示している。
【００２６】
また、
５は上下方向へのスライドおよび下位置での前後方向へのスライドがそれぞれ可能であって、図１のロックモードのとき後述のノズルチップ８の放出口８ｂを外部空間域からシャットオフ（遮蔽）する機能を備えた内容物噴射用の操作部材，
５ａは当該操作部材の前側部分であって縦長の略長方形状前面からなる前壁状部，
５ｂは前壁状部５ａの上端側部分であって放出口８ｂへのシャットオフ作用を呈する遮蔽部，
５ｃは前壁状部５ａの下側部分に形成されて利用者のスライド操作時のいわば取っ掛かりとなる膨出部，
５ｄは前壁状部５ａの膨出部５ｃより下方に形成されて、図２のロック解除・静止モードのとき後述のカバーキャップ７の前開口部下端面７ｎと当接し、これにより当該操作部材を静止モードの位置に保持する下向き段部，
５ｅは前壁状部５ａにおける遮蔽部５ｂより下側の左右端部分のそれぞれから後方に延びる平行態様で設定された、すなわち当該前壁状部を含む横断面が「コの字状」に設定された略長方形状で一対の側壁状部，
５ｆは側壁状部５ｅそれぞれの後端側外面部分の上下方向に形成されて、後述のカバーキャップ７の縦溝状部７ｊと前後方向天井面７ｆとにより、上下方向および前後方向の個々に案内される縦凸状被案内部，
５ｇは縦凸状被案内部５ｆの前後方向の上端面部分であって、当該操作部材の前後方向スライド操作のとき、後述のカバーキャップ７の前後方向天井面７ｆに当接した状態でガイドされる被案内上端面，
５ｈは縦凸状被案内部５ｆの上端側に、側壁状部５ｅとの直交縦断面形状が外向き台形で被案内上端面５ｇの外側端部から連続形成されて、図１のロックモードのときカバーキャップ７の円弧状凸部７ｋに係合保持され、かつ、ロックモードでの当該操作部材の下方へのスライド操作に基づく係合保持解除、および図２のロック解除・静止モードにおける当該操作部材の上方へのスライド操作に基づく係合保持設定のそれぞれにともなうクリック感を利用者に与える弾性変形可能な山状部，
５ｊは山状部５ｈからその下方に上記直交縦断面形状が内向き台形の態様で連続形成されて、図１のロックモードの円弧状凸部７ｋを収容する凹状部（谷状部），
５ｋは山状部５ｈの上外面であって、図２のロック解除・静止モードから図１のロックモードへの復帰時に当該山状部が円弧状凸部７ｋを比較的容易に乗り越えるための、下側ほど外方（側壁状部５ｅと直交する外方向）へ高く設定された上斜面，
５ｍは山状部５ｈの下外面であって、図１のロックモードから図２のロック解除・静止モードにシフトするときに当該山状部が円弧状凸部７ｋを比較的容易に乗り越えるための、下側ほど内方（側壁状部５ｅと直交する内方向）へ低く設定された下斜面（＝凹状部５ｊの上斜面），
５ｎは縦凸状被案内部５ｆの、山状部５ｈおよび凹状部５ｊが形成されていない同一高さで上下方向の下側平天面，
５ｐは山状部５ｈの上斜面５ｋと下斜面５ｍとの間に下側平天面５ｎと同じ高さで前後方向に設定された山状部平頂面，
５ｑは側壁状部５ｅそれぞれの上下二箇所の後端面部分から後方に飛び出る平板態様で設けられた、左右の側面視が直角三角形状からなる計四個の前側テーパ片部，
５ｒは前側テーパ片部５ｑそれぞれの下側・後上がりの斜辺面部分であって、後述のステムジョイント６の前向き・上向きテーパ面６ｅとのカム作用を呈する後向き・下向きテーパ面，
をそれぞれ示している。
【００２７】
また、
６はステム３の流出側に常時嵌合し、操作部材５の後方向スライド操作との連動により当該ステムを下動させて周知のバルブ作用部（ステム孔部およびステムガスケット）をそれまでの閉状態から開状態にシフトさせる筒状のステムジョイント，
６ａはステム３に嵌合状態で取り付けられた下開口部，
６ｂは後述のカバーキャップ７の下流通路域７ａの流入側に密接して上下動可能な形で取り付けられた上開口部，
６ｃは下開口部６ａから上開口部６ｂへといたるステムジョイント内部の中流通路域，
６ｄは当該ステムジョイントの直方体状胴部分の一対の左右側面それぞれの上下二箇所から左右外方に飛び出る平板態様で設けられた、左右の側面視がいわば直角台形状からなる計四個の後側テーパ片部，
６ｅは後側テーパ片部６ｄそれぞれの上側・後上がりの斜辺面部分であって、操作部材５の後向き・下向きテーパ面５ｒとのカム作用を呈する前向き・上向きテーパ面，
６ｆは当該ステムジョイントの直方体状胴部分の上面部分であって、後述のカバーキャップ７の縦筒状部７ｂの下端面と当接する肩部，
をそれぞれ示している。
【００２８】
また、
７は底開口部が容器本体１のアンダーカット１ａに常時嵌合し、かつ、前開口部の側に操作部材５を収容保持して、内部空間域にはステムジョイント６を収容保持するいわばヘルメット形状のカバーキャップ，
７ａはステムジョイント６から続くカバーキャップ内部の下流通路域，
７ｂは下流通路域７ａの構成要素であってその下端面がステムジョイント６の肩部６ｆと当接する縦筒状部，
７ｃは当該カバーキャップの内部の前後方向に連続形成された一対の対向状態の平行平板面，
７ｄは平行平板面７ｃそれぞれの後側部分に起立状態で設定されて、操作部材５を上下方向および前後方向に案内するための台状部，
７ｅは台状部７ｄの構成要素であって操作部材５の上下方向スライド動作を案内する後縦起立面（図示上下方向に連続形成された起立面），
７ｆは台状部７ｄの後縦起立面７ｅとは別の前後方向に延びる起立面部分であって、操作部材５の前後方向スライド動作を案内する前後方向天井面，
７ｇは平行平板面７ｃそれぞれの前側部分に台状部７ｄと同様に起立状態で設定されて、当該台状部との協働作用により操作部材５を上下方向に案内するための柱状部，
７ｈは柱状部７ｇの構成要素であって、後縦起立面７ｅと平行な対向状態のまま当該後縦起立面よりも下方へ長く設定され、操作部材５の上下方向スライド動作を案内する前縦起立面（図示上下方向に連続形成された起立面），
７ｊは後縦起立面７ｅと前縦起立面７ｈとの間に「コの字状」の前後方向断面を有し、その底面部分が平行平板面７ｃの一部からなる態様で形成されて、操作部材５の縦凸状被案内部５ｆを上下方向に案内する縦溝状部，
７ｋは縦溝状部７ｊの上下方向底面の略中間に形成されて、操作部材５の山状部５ｈに対する図１のロックモード位置における係合保持作用や、当該操作部材の、当該ロックモードにおける下方へのスライド操作、および図２のロック解除・静止モードにおける上方へのスライド操作のそれぞれにともなうクリック感発生作用を呈する円弧状凸部，
７ｍは柱状部７ｇの構成部分であって前縦起立面７ｈの高端部分まで続く後方への上り傾斜部からなり、操作部材５を当該カバーキャップの前開口部から押し込んで縦凸状被案内部５ｆが縦溝状部７ｊに組み込まれる際の案内・弾性変形作用を呈するテーパ部，
７ｎは図２のロック解除・静止モードのとき操作部材５の下向き段部５ｄと当接して、当該操作部材を静止モードの位置に保持する前開口部下端面，
をそれぞれ示している。
【００２９】
また、
８はカバーキャップ７の下流通路域７ａの流出側部分に取り付けられたノズルチップ，
８ａは当該ノズルチップの内容物通過用の内部通路，
８ｂは内部通路８ａの先端部分に形成された内容物噴射用の放出口，
をそれぞれ示している。
【００３０】
ここで、操作部材５，ステムジョイント６，カバーキャップ７およびノズルチップ８は例えばポリプロピレン，ポリエチレン，ポリアセタール，ナイロン，ポリブチレンテレフタレートなどからなるプラスチック製のものである。
【００３１】
容器本体１，ステム３およびハウジング４は例えばプラスチック製，金属製のものである。また、マウンティングカップ２は金属製のものである。
【００３２】
なお、操作部材５の縦凸状被案内部５ｆ，山状部５ｈやカバーキャップ７の柱状部７ｇ，円弧状凸部７ｋなどはそれぞれ弾性変形可能な部分である。
【００３３】
図示のシャットオフ式の内容物噴射操作ロック機構の基本的特徴は、
(31)図１のロックモード位置の操作部材５の下方へのスライド操作により、それまで当該操作部材の遮蔽部５ｂでシャットオフされていた放出口８ｂが外部空間域に露出する状態の、図２のロック解除・静止モードが設定され、
(32)これに続く操作部材５の後方スライド操作により図３の作動モードが設定される、すなわち容器本体１の内容物が、新たに開状態に移行したステム作用部（周知のステム孔部およびそれを開閉する周知のステムガスケット）を介してノズルチップ８の放出口８ｂから外部空間域に噴射される、
ことである。
【００３４】
利用者は、図１のロックモードにおいて例えば親指で操作部材５の膨出部５ｃの直上部分を持ち、人指し指などでカバーキャップ７の外面側を持った状態での親指操作により、操作部材５を先ず下方へスライドさせ、続いて後方へとスライドさせることができる。
【００３５】
この操作部材５の下方および後方へのいわば連続スライド操作にともない、図示のシャットオフ式の内容物噴射操作ロック機構を備えたエアゾール式製品は、図１のロックモードから図３の内容物噴射状態の作動モードにシフトする。
【００３６】
図１は、操作部材５への内容物噴射操作としての後方スライド操作が阻止されるロックモードを示している。
【００３７】
図１のロックモードにおける操作部材５は、
(41)縦凸状被案内部５ｆがカバーキャップ７の縦溝状部７ｊにガイドされ、
(42)このガイドに際して、縦凸状被案内部５ｆの下側平天面５ｎおよび山状部平頂面５ｐがそれぞれカバーキャップ７の縦溝状部７ｊの底面部分に略当接し、
(43)山状部５ｈの下斜面５ｍがカバーキャップ７の円弧状凸部７ｋに係合保持され、
(44)上端側の遮蔽部５ｂで、ノズルチップ８の放出口８ｂを外部空間域からシャットオフした、
状態に設定されている。
【００３８】
図１のロックモードでは、操作部材５の縦凸状被案内部５ｆに対するカバーキャップ７の縦溝状部７ｊのガイド作用により、操作部材５は前後方向への移動が阻止される。
【００３９】
すなわち、図１のロックモード位置に設定された操作部材５を直に後方向にスライドさせて作動モードへと移行することはできない。
【００４０】
また、ステム３のいわば駆動源といえる前側テーパ片部５ｑの後向き・下向きテーパ面５ｒは、その駆動相手であるステムジョイント６の前向き・上向きテーパ面６ｅから離間している。
【００４１】
図２は、図１のロックモード位置の操作部材５を下方へスライドさせた状態のロック解除・静止モードを示している。
【００４２】
図１の操作部材５に対する下方へのスライド操作にともない、当該操作部材はその縦凸状被案内部５ｆがカバーキャップ７の縦溝状部７ｊにガイドされながら下動する。
【００４３】
このガイドに際し、縦凸状被案内部５ｆの下側平天面５ｎおよび山状部平頂面５ｐがそれぞれカバーキャップ７の縦溝状部７ｊの底面部分に略当接している。
【００４４】
操作部材５の下動初期段階では、縦凸状被案内部５ｆの山状部５ｈ（下斜面５ｍ）が、カバーキャップ７の円弧状凸部７ｋを、これら両者間の相対的な弾性変形作用によりいわば乗り越えていく。
【００４５】
操作部材５の下方向へのスライド動作は、その下向き段部５ｄがカバーキャップ７の前開口部下端面７ｎと当接し、その後向き・下向きテーパ面５ｒがステムジョイント６の前向き・上向きテーパ面６ｅと当接した状態で停止する。
【００４６】
停止後の操作部材５は、その被案内上端面５ｇがカバーキャップ７の前後方向天井面７ｆより少し下の略面一状態に設定される。
【００４７】
なお、この操作部材５の停止状態のとき、縦凸状被案内部５ｆの前側面上部分はカバーキャップ７（柱状部７ｇ）の前縦起立面７ｈに当接したままである。
【００４８】
図２における操作部材５の後向き・下向きテーパ面５ｒはステムジョイント６の前向き・上向きテーパ面６ｅと当接するものの、その先の、テーパ面５ｒでテーパ面６ｅを駆動するような位置関係となるまでには設定されていない。
【００４９】
なお、図１のロックモードおよび図２のロック解除・静止モードでは、ステム３およびこれと一体のステムジョイント６は周知のコイルスプリング(図示省略)の弾性力により上方向に付勢された位置にある。このとき、ステム３と周知のステムガスケット(図示省略)とからなる弁作用部は勿論、閉状態である。
【００５０】
当然のことながら容器本体１からハウジング４を経てこの弁作用部にいたる周知の内容物空間域と、当該弁作用部からノズルチップ８の放出口８ｂまでの内容物通路域（ステム３の上流通路域３ａ−ステムジョイント６の中流通路域６ｃ−カバーキャップ７の下流通路域７ａ−ノズルチップ８の内部通路８ａ）と、は連通していない。すなわち、容器本体１の収容内容物がこの内容物通路域を経て外部空間域に噴射されることはない。
【００５１】
図３は、図２のロック解除・静止モード位置の操作部材５を後方へスライドさせた内容物噴射状態の作動モードを示している。
【００５２】
操作部材５が図２から図３の位置まで後方にスライドするとき、その被案内上端面５ｇがカバーキャップ７の前後方向天井面７ｆに案内され、かつ、その山状部平頂面５ｐおよび下側平天面５ｎが平行平板面７ｃに案内される。
【００５３】
この操作部材５に対する後方へのスライド操作にともない、ステムジョイント６の前向き・上向きテーパ面６ｅが当該操作部材の後向き・下向きテーパ面５ｒとのカム作用によって駆動される。
【００５４】
このカム作用により、ステムジョイント６およびこれと一体のステム３は、上記周知のコイルスプリング(図示省略)の上方向への弾性力に抗しながら下方に移動する。
【００５５】
ステム３の下動にともない、当該ステムと周知のステムガスケット(図示省略)とからなる弁作用部がそれまでの閉状態から開状態へとシフトする。
【００５６】
弁作用部が開くと、容器本体１の収容内容物が噴射剤の作用により、「ステム３の上流通路域３ａ−ステムジョイント６の中流通路域６ｃ−カバーキャップ７の下流通路域７ａ−ノズルチップ８の内部通路８ａ−放出口８ｂ」を経て外部空間域に噴射される。
【００５７】
利用者が図３の作動モード位置の操作部材５のスライド保持状態を解除すると、ステム３およびステムジョイント６が上記周知のコイルスプリング(図示省略)の弾性力で上動して図２の静止モードの位置に復帰する。
【００５８】
このとき、ステムジョイント６の上動にともなう前向き・上向きテーパ面６ｅと操作部材５の後向き・下向きテーパ面５ｒとのカム作用により、当該操作部材が、カバーキャップ７の平行平板面７ｃおよび前後方向天井面７ｆに案内されながら前方へ移動する。
【００５９】
すなわち、操作部材５は、図２の静止モード位置から図３の作動モード位置へスライド操作するときと同様の案内作用をカバーキャップ７から受けながら静止モードへといわば自動復帰する。
【００６０】
この静止モード位置の操作部材５を利用者が上方にスライドさせると、当該操作部材は、その山状部５ｈがカバーキャップ７の円弧状凸部７ｋを双方の相対的な弾性変形により乗り越えて、図１の下斜面５ｍと当該円弧状凸部との係合保持状態に設定される。
【００６１】
操作部材５がロックモード位置に復帰し、ノズルチップ８の放出口８ｂは操作部材５の遮蔽部５ｂでシャットオフされる。
【００６２】
図示のカバーキャップ側ユニット（操作部材５，ステムジョイント６，カバーキャップ７およびノズルチップ８）の組立て手順は、例えば次のようになる。
(51)カバーキャップ７の下流通路域７ａの流出側にノズルチップ８を取り付け、
(52)カバーキャップ７の下流通路域７ａの流入側に、ステムジョイント６の上開口部側を、その肩部６ｆが当該カバーキャップの縦筒状部７ｂの下端面に当接する位置態様で係合保持し、
(53)操作部材５を、その下端側を少し後方にした斜め状態でカバーキャップ７の前開口部から中にいれ、
(54)中に入れた操作部材５を垂直状態に戻しながら後方に押し込んで、その縦凸状被案内部５ｆがカバーキャップ７の縦溝状部７ｊに嵌合した状態に設定する。
【００６３】
本発明のシャットオフ形式の内容物放出操作ロック機構が図示の実施形態に限定されるものでないことは勿論であり、例えば、
(61)内容物放出操作ロック機構の構成要素間の凹状部（開口部を含む）とそれに対応した凸状部との形状関係を凹凸逆にする、
(62)下流通路域７ａの部分をステムジョイント６との一体成形物として、当該下流通路域部分が変位可能な形に設定する、
(63)操作部材５を後斜め下方向にスライド操作または回動操作することにより、図１のロックモードから図２のロック解除・静止モードにシフトさせる、
ようにしてもよい。
【００６４】
本発明が適用される製品としては、洗浄剤，清掃剤，冷却剤，筋肉消炎剤，育毛剤，染毛剤，ヘアスタイリング剤，ヘアトリートメント剤，日焼け止め，化粧水，クレンジング剤，制汗剤，化粧品，シェービングフォーム，食品，液滴状のもの（ビタミンなど），医薬品，医薬部外品，園芸用剤，殺虫剤，害虫忌避剤，動物忌避剤，消臭剤，洗濯のり，消火器，塗料，接着剤，潤滑剤，ウレタンフォームなどの各種用途のものがある。
【００６５】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００６６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ，酸化亜鉛，酸化チタン，ゼオライト，ナイロンパウダー，硫酸バリウム，セルロース，これらの混合物などを用いる。
【００６７】
油成分としては、ジメチルポリシロキサンなどのシリコーン油，ミリスチン酸イソプロピルなどのエステル油，パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸などを用いる。
【００６８】
アルコール類としては、エタノールなどの１価の低級アルコール，ラウリルアルコールやセタノールなどの１価の高級アルコール，エチレングリコール，１，３−ブチレングリコールやグリセリンなどの多価アルコールなどを用いる。
【００６９】
界面活性剤としては、ラウリル硫酸ナトリウムなどのアニオン性界面活性剤，ポリオキシエチレンアルキルエーテルやポリグリセリン脂肪酸エステルなどの非イオン性界面活性剤，ラウリルジメチルアミノ酢酸ベタインなどの両性界面活性剤，塩化アルキルトリメチルアンモニウムなどのカチオン性界面活性剤などを用いる。
【００７０】
高分子化合物としては、ヒドロキシエチルセルロース，メチルセルロース，ゼラチン，デンプン，カゼイン，キサンタンガム，カルボキシビニルポリマーなどを用いる。
【００７１】
各用途に応じた有効成分としては、パラフェニレンジアミン，アミノフェノールなどの染料，過酸化水素水などの酸化剤，アクリル系樹脂やワックスなどのセット剤，パラメトキシケイ皮酸２−エチルヘキシルなどの紫外線吸収剤，レチノールやｄｌ−α−ト コフェロールなどのビタミン，ヒアルロン酸などの保湿剤，サリチル酸メチル，インドメタシンなどの消炎鎮痛剤，安息香酸ナトリウム，クレゾールなどの除菌剤，ピレスロイド，ジエチルトルアミドなどの害虫忌避剤，パラフェノールスルホン酸亜鉛などの制汗剤，カンフル，メントールなどの清涼剤，エフェドリン，アドレナリンなどの抗喘息薬，スクラロース，アスパルテームなどの甘味料，エポキシ樹脂，ウレタンなどの接着剤や塗料，パラフェニレンジアミン，アミノフェノールなどの染料，過酸化水素水などの酸化剤，リン酸二水素アンモニウム，炭酸水素ナトリウム・カリウムなどの消火剤などを用いる。
【００７２】
さらに、上記内容物以外の、懸濁剤，乳化剤，酸化防止剤，金属イオン封鎖剤なども用いることができる。
【００７３】
エアゾール式製品における内容物噴射用ガスとしては、炭酸ガス，窒素ガス，圧縮空気，亜酸化窒素，酸素ガス，希ガス，これらの混合ガスなどの圧縮ガスや、液化石油ガス，ジメチルエーテル，ハイドロフルオロオレフィンなどの液化ガスを用いる。
【符号の説明】
【００７４】
Ａ：図１のロックモードから図２のロック解除・静止モードにシフトする際の操作部材の下スライド方向（図２参照）
Ｂ：図２のロック解除・静止モードから図３の作動モードにシフトする際の操作部材の後スライド方向（図３参照）
【００７５】
１：容器本体
１ａ：アンダーカット
２：マウンティングカップ
３：ステム
３ａ：上流通路域
４：ハウジング
【００７６】
５：操作部材
５ａ：前壁状部
５ｂ：遮蔽部
５ｃ：膨出部
５ｄ：下向き段部
５ｅ：一対の側壁状部
５ｆ：縦凸状被案内部
５ｇ：被案内上端面
５ｈ：山状部
５ｊ：凹状部（谷状部）
５ｋ：山状部５ｈの上斜面
５ｍ：山状部５ｈの下斜面（＝凹状部５ｊの上斜面）
５ｎ：上下方向の下側平天面
５ｐ：山状部平頂面
５ｑ：計四個の前側テーパ片部
５ｒ：後向き・下向きテーパ面
【００７７】
６：ステムジョイント
６ａ：下開口部
６ｂ：上開口部
６ｃ：中流通路域
６ｄ：計四個の後側テーパ片部
６ｅ：前向き・上向きテーパ面
６ｆ：肩部
【００７８】
７：カバーキャップ
７ａ：下流通路域
７ｂ：縦筒状部
７ｃ：一対の対向状態の平行平板面
７ｄ：台状部
７ｅ：後縦起立面
７ｆ：前後方向天井面
７ｇ：柱状部
７ｈ：前縦起立面
７ｊ：縦溝状部
７ｋ：円弧状凸部
７ｍ：テーパ部
７ｎ：前開口部下端面
【００７９】
８：ノズルチップ
８ａ：内部通路
８ｂ：内容物噴射用の放出口
【図１】
2015212170.tif 000003
【図２】
2015212170.tif 000004
【図３】
2015212170.tif 000005
【図４】
2015212170.tif 000006